(57)【要約】【課題】筋肉疲労による筋痙攣を生じ易い大腿後面のハムストリングスや下腿後面の腓腹筋の配筋方向に合わせて着圧し、スポーツパフォーマンスや筋コンディショニングの低下を抑えて標的となる筋の筋痙攣抑制効果をバランスよく確実に発揮できる下半身用衣料を提供する。【解決手段】本体筒部１１の下縁部位から連続して脚部Ｍ４の足首部Ｍ５の裾口１３まで延びる一対の脚筒部１２を備えた伸縮性のある下半身用衣料本体１０を具備し、各脚筒部１２に、下半身用衣料本体１０よりも伸び難く縮み易いＴＰＵによって構成され、各脚筒部１２の後面上端対応位置を頂点にしてハムストリングスＭ６の配筋方向に沿うように各脚筒部１２の膝裏Ｙの内外両側に広がる逆Ｖ字形テーピングライン２、及び各脚筒部１２の裾口１３後端対応位置を頂点にして下腿三頭筋Ｍ７の配筋方向に沿うように各脚筒部１２の膝裏Ｙの内外両側に広がるＶ字形テーピングライン３を備えている。【選択図】図４
2018035453.tif 000002
【特許請求の範囲】
【請求項１】
着用者のウェスト部、下腹部及び臀部を密着した状態で囲繞する伸縮性を備えた本体筒部と、この本体筒部に連続して前記着用者の左右の脚部を個別に囲繞する伸縮性を備えた一対の脚筒部とを有する下半身用衣料本体を具備した下半身用衣料であって、
前記各脚筒部は、
前記本体筒部の下縁部位から前記左右の脚部の足首部に開口する裾口までそれぞれ延びて形成されており、
前記下半身用衣料本体よりも伸び難く縮み易い材料によって構成され、かつ前記着用者の左右の脚部のハムストリングスの上端にそれぞれ対応する前記各脚筒部の後端上部対応位置を頂点にして前記ハムストリングスの配筋方向に沿うように前記各脚筒部の膝裏の内外両側に向かって広がる逆Ｖ字形テーピングラインと、
前記下半身用衣料本体よりも伸び難く縮み易い材料によって構成され、かつ前記着用者の左右の脚部の下腿三頭筋の下端にそれぞれ対応する前記各脚筒部の裾口後端対応位置を頂点にして前記下腿三頭筋の配筋方向に沿うように前記各脚筒部の膝裏の内外両側に向かって広がるＶ字形テーピングラインと、
を備えていることを特徴とする下半身用衣料。
【請求項２】
前記各脚筒部の逆Ｖ字形テーピングラインの膝裏外側に向かって広がる外側ライン部は、前記着用者の左右の脚部における向こう臑部の外側から内側に回り込むように前記各脚筒部の裾口に向かって延びている請求項１に記載の下半身用衣料。
【請求項３】
前記各脚筒部のＶ字形テーピングラインの膝裏外側に向かって広がる外側ライン部は、前記着用者の左右の脚部における大腿四頭筋を外側下部から内側上部へ斜めに横切るように前記各脚筒部の内側上部へ向かって延びている請求項１又は請求項２に記載の下半身用衣料。
【請求項４】
前記各脚筒部の逆Ｖ字形テーピングライン及びＶ字形テーピングラインは、前記下半身用衣料本体に対し互いに重ね合わせた重合状態で設けられている請求項１〜請求項３のいずれか１つに記載の下半身用衣料。
【請求項５】
前記各脚筒部の逆Ｖ字形テーピングライン及びＶ字形テーピングラインは、前記下半身用衣料本体に対し互いに重ね合わせない非重合状態で設けられている請求項１〜請求項３のいずれか１つに記載の下半身用衣料。
【請求項６】
前記各脚筒部の逆Ｖ字形テーピングラインと前記各脚筒部のＶ字形テーピングラインとは、互いの交差部においていずれか一方が他方よりも優先されて連続的に延び、前記他方が前記一方に分断されて断続的に延びている請求項１〜請求項５のいずれか１つに記載の下半身用衣料。
【発明の詳細な説明】
【技術分野】
【０００１】
本発明は、着用者の下半身を密着した状態で囲繞する伸縮性を備えた下半身用衣料に関する。
【背景技術】
【０００２】
従来より、この種の下半身用衣料としては、着用者のウェスト部、下腹部及び臀部を密着した状態で囲繞する伸縮性を備えた本体筒部と、この本体筒部に連続して前記着用者の左右の脚部を個別に囲繞する伸縮性を備えた一対の脚筒部とを有する下半身用衣料本体を具備したものが知られている（特許文献１参照）。
【０００３】
そして、この下半身用衣料本体にあっては、各脚筒部が本体筒部の下縁部位から左右の脚部の膝上部、膝下部又は足首部に開口する裾口までそれぞれ延びて形成されている。
【先行技術文献】
【特許文献】
【０００４】
【特許文献１】特表２０１４−５０６６３５号公報
【発明の概要】
【発明が解決しようとする課題】
【０００５】
ところで、弾性素材を用いて着圧を増大させる下半身用衣料は数多くあり、コンプレッションウェアの名称で１つの製品分野としてカテゴライズされている。しかしながら、それらの製品の生理学的意義、効果を明瞭に示したものは非常に少なく、数値として大きな効果を示せているものもほとんどないのが現状である。
【０００６】
例えば、マラソンなどの長距離走において、筋肉への負担が大きいために筋痙攣を生じ易い大腿後面のハムストリングス（大腿二頭筋、半腱様筋、半膜様筋）や、下腿後面の腓腹筋などに効果の標的を当てた製品があまり存在せず、筋肉疲労による筋痙攣を生じ易いのも事実である。しかも、着用部全体に着圧をかける下半身用衣料にあっては、血管を圧迫して血流を制限し循環を悪化させる要素、関節運動の抵抗となり動作の妨げとなる要素を微細ながら持つと考えられ、これがスポーツパフォーマンスの低下、筋コンディショニングの低下につながる可能性があるのも事実である。
【０００７】
本発明は、かかる点に鑑みてなされたものであり、その目的とするところは、マラソンなどの長距離走において筋肉疲労による筋痙攣を生じ易い大腿後面のハムストリングスや下腿後面の腓腹筋に着目し、これらの筋に標的を当てて当該筋の配筋方向に合わせて着圧することで、スポーツパフォーマンスや筋コンディショニングの低下を抑えて標的となる筋の筋痙攣抑制効果をバランスよく確実に発揮することができる下半身用衣料を提供することにある。
【課題を解決するための手段】
【０００８】
前記目的を達成するため、本発明では、着用者のウェスト部、下腹部及び臀部を密着した状態で囲繞する伸縮性を備えた本体筒部と、この本体筒部に連続して前記着用者の左右の脚部を個別に囲繞する伸縮性を備えた一対の脚筒部とを有する下半身用衣料本体を具備した下半身用衣料を前提とし、前記各脚筒部を、前記本体筒部の下縁部位から前記左右の脚部の足首部に開口する裾口までそれぞれ延ばして形成する。そして、前記各脚筒部は、前記下半身用衣料本体よりも伸び難く縮み易い材料によって構成され、かつ前記着用者の左右の脚部のハムストリングスの上端にそれぞれ対応する前記各脚筒部の後面上端対応位置を頂点にして前記ハムストリングスの配筋方向に沿うように前記各脚筒部の膝裏の内外両側に向かって広がる逆Ｖ字形テーピングラインと、前記下半身用衣料本体よりも伸び難く縮み易い材料によって構成され、かつ前記着用者の左右の脚部の下腿三頭筋の下端にそれぞれ対応する前記各脚筒部の裾口後端対応位置を頂点にして前記下腿三頭筋の配筋方向に沿うように前記各脚筒部の膝裏の内外両側に向かって広がるＶ字形テーピングラインと、を備えることを特徴としている。
【０００９】
また、前記各脚筒部の逆Ｖ字形テーピングラインの膝裏外側に向かって広がる外側ライン部を、前記着用者の左右の脚部における向こう臑部の外側上部から内側下部に向かって斜め方向へ回り込むように前記各脚筒部の裾口に向かって延ばしてもよい。
【００１０】
また、前記各脚筒部のＶ字形テーピングラインの膝裏外側に向かって広がる外側ライン部を、前記着用者の左右の脚部における大腿四頭筋の外側下部から内側上部へ斜めに横切るように前記各脚筒部の内側上部へ向かって延ばしてもよい。
【００１１】
また、前記各脚筒部の逆Ｖ字形テーピングライン及びＶ字形テーピングラインを、前記下半身用衣料本体に対し互いに重ね合わせた重合状態で設けていてもよい。
【００１２】
これに対し、前記各脚筒部の逆Ｖ字形テーピングライン及びＶ字形テーピングラインを、前記下半身用衣料本体に対し互いに重ね合わせない非重合状態で設けていてもよい。
【００１３】
更に、前記各脚筒部の逆Ｖ字形テーピングラインと前記各脚筒部のＶ字形テーピングラインとは、互いの交差部においていずれか一方を他方よりも優先して連続的に延ばし、前記他方を前記一方に分断させて断続的に延ばしていてもよい。
【発明の効果】
【００１４】
以上、要するに、下半身用衣料本体にこれよりも伸び難く縮み易い材料によって構成された逆Ｖ字形テーピングライン及びＶ字形テーピングラインを設け、逆Ｖ字形テーピングラインを、着用者の各脚部のハムストリングスの上端を頂点にしてハムストリングスの配筋方向に沿うように各脚筒部の膝裏の内外両側に向かって広げる一方、Ｖ字形テーピングラインを、着用者の各脚部の下腿三頭筋の下端を頂点にして下腿三頭筋の配筋方向に沿うように各脚筒部の膝裏の内外両側に向かって広げることで、マラソンなどの長距離走において負担が大きいために筋痙攣を生じ易い大腿後面のハムストリングス（大腿二頭筋、半腱様筋、半膜様筋）や、下腿後面の腓腹筋などに標的を当てて当該ハムストリングスや腓腹筋などをその配筋方向に合わせて着圧している。これにより、スポーツパフォーマンスや筋コンディショニングの低下を抑えて、標的となるハムストリングスや腓腹筋などの筋痙攣抑制効果をバランスよく確実に発揮することができる。
【００１５】
また、各脚筒部の逆Ｖ字形テーピングラインの膝裏外側に向かって広がる外側ライン部を、着用者の左右の脚部における向こう臑部の外側から内側に回り込むように各脚筒部の裾口に向かって延ばすことで、逆Ｖ字形テーピングラインの外側ライン部の伸張性能が十分に発揮され、各脚部の向こう脛部の前脛骨筋はもちろんのこと、ハムストリングスの大腿二頭筋も効果的に着圧され、ハムストリングスの大腿二頭筋の筋痙攣抑制効果をより確実に発揮することが可能となる。
【００１６】
また、各脚筒部のＶ字形テーピングラインの膝裏外側に向かって広がる外側ライン部を、着用者の左右の脚部における大腿四頭筋を外側下部から内側上部へ斜めに横切るように各脚筒部の内側上部へ向かって延ばすことで、Ｖ字形テーピングラインの外側ライン部の伸張性能が十分に発揮され、大腿四頭筋はもちろんのこと、外側の腓腹筋も効果的に着圧され、外側の腓腹筋の筋痙攣抑制効果をより確実に発揮することが可能となる。
【００１７】
また、各脚筒部の逆Ｖ字形テーピングライン及びＶ字形テーピングラインを、下半身用衣料本体に対し互いに重ね合わせた重合状態で設けることで、既存の下半身用衣料本体の各脚筒部に対し逆Ｖ字形テーピングライン及びＶ字形テーピングラインを接着又は縫製などによって簡単に取り付けることができる。
【００１８】
これに対し、各脚筒部の逆Ｖ字形テーピングライン及びＶ字形テーピングラインを、下半身用衣料本体に対し互いに重ね合わせない非重合状態で設けることで、逆Ｖ字形テーピングライン及びＶ字形テーピングラインと下半身用衣料本体との互いに異なる伸縮性能を単独で発揮することができる。
【００１９】
更に、各脚筒部の逆Ｖ字形テーピングラインとＶ字形テーピングラインとのいずれか一方を互いの交差部において他方よりも優先して連続的に延ばし、他方を一方に分断させて断続的に延ばすことで、各脚筒部の逆Ｖ字形テーピングラインとＶ字形テーピングラインとのいずれか一方の伸び難く縮み易い材料による伸長性能が優先されるものの、他方の伸び難く縮み易い材料による伸長性能は分断により軽減され、下半身用衣料を使用者が着用する際の着用難易性が軽減され、各脚筒部の逆Ｖ字形テーピングラインとＶ字形テーピングラインとを共に連続的に延ばした場合に比して、比較的スムーズに着用することが可能となる。
【図面の簡単な説明】
【００２０】
【図１】本発明の実施の形態に係る下半身用衣料を下半身に着用した状態で背面から見た背面図である。
【図２】図１の下半身用衣料を下半身に着用した状態で正面から視た正面図である。
【図３】図１の下半身用衣料を下半身に着用した状態で左側方から視た左側面図である。
【図４】図１の下半身用衣料を透視した状態で下半身の筋肉を背面から見た背面図である。
【図５】図２の下半身用衣料を透視した状態で下半身の筋肉を正面から視た正面図である。
【図６】図３の下半身用衣料を透視した状態で下半身の筋肉を左側方から視た左側面図である。
【図７】Ａ〜Ｃタイプ毎に筋クランプ誘発運動後の経過時間に対する最大筋力発揮時の筋放電量の相対値の特性を示す説明図である。
【図８】Ａ〜Ｃタイプ毎の筋クランプの主観評価を示す特性図である。
【発明を実施するための形態】
【００２１】
以下、本願発明の実施の形態に係る下半身用衣料を図面に基づいて説明する。
【００２２】
図１は本発明の実施の形態に係る下半身用衣料を下半身に着用した状態で背面から見た背面図、図２は下半身用衣料を下半身に着用した状態で正面から視た正面図、図３は下半身用衣料を下半身に着用した状態で左側方から視た左側面図をそれぞれ示している。
【００２３】
図１〜図３において、１はスパッツなどの下半身用衣料であって、この下半身用衣料１は、着用者Ｍのウェスト部Ｍ１、下腹部Ｍ２及び臀部Ｍ３を密着した状態で囲繞する伸縮性を備えた本体筒部１１と、この本体筒部１１に連続して着用者の左右の脚部Ｍ４，Ｍ４を個別に囲繞する伸縮性を備えた一対の脚筒部１２，１２とを有する下半身用衣料本体１０を具備している。
【００２４】
各脚筒部１２は、本体筒部１１の下縁部位から左右の脚部Ｍ４，Ｍ４の足首部Ｍ５，Ｍ５に開口する裾口１３までそれぞれ延びて形成されている。下半身用衣料本体１０は、４０Ｄ（デニール）のナイロン８０％とポリウレタン２０％の混紡素材を使用している。このような混紡素材は、下半身用衣料を製造する一般的なスポーツメーカーにおいて用いられる、ポリエステルとポリウレタンとの混紡素材ではなく、ナイロン糸を使用している点に大きな差異がある。この場合、ナイロン糸は、化学繊維の中でも最も強度に優れて耐久性がある上、スポーツ時に発汗した汗の匂いが吸着する際の吸着率が最も低いため、スポーツ用のアンダーウェアに非常に適した素材である。
【００２５】
また、各脚筒部１２には、その上部に位置する逆Ｖ字形テーピングライン２と、下部に位置するＶ字形テーピングライン３とが設けられている。逆Ｖ字形テーピングライン２及びＶ字形テーピングライン３は、下半身用衣料本体１０よりも伸び難く縮み易い高強度の伸縮素材、たとえばＴＰＵ（熱可塑性ポリウレタン）によって構成されている。このＴＰＵは、ゴムのようなしなやかな弾力性と硬質プラスチックのような強靱さとを併せ持った高分子化合物である。
【００２６】
そして、逆Ｖ字形テーピングライン２及びＶ字形テーピングライン３は、下半身用衣料本体１０の各脚筒部１２に対し互いに重ね合わせた重合状態で、貼着により取り付けられている。これにより、逆Ｖ字形テーピングライン２及びＶ字形テーピングライン３は、下半身用衣料本体１０の各脚筒部１２にテーピング機能を持たせ、運動時に標的とする筋肉つまり後述するハムストリングスＭ６の半腱様筋Ｍ６１、半膜様筋Ｍ６２及び大腿二頭筋Ｍ６３並びに下腿三頭筋Ｍ７の腓腹筋Ｍ７０のサポートを実現させている。この場合、逆Ｖ字形テーピングライン２及びＶ字形テーピングライン３は、幅４０ｍｍを基本サイズとしているが、筋肉の配筋方向に沿うようにセッティングされている関係上、部位によってサイズが異なっている。
【００２７】
図４は下半身用衣料１を透視した状態で下半身の筋肉を背面から見た背面図、図５は下半身用衣料１を透視した状態で下半身の筋肉を正面から視た正面図、図６は下半身用衣料１を透視した状態で下半身の筋肉を左側方から視た左側面図をそれぞれ示している。
【００２８】
図４〜図６において、逆Ｖ字形テーピングライン２は、着用者Ｍの左右の大殿筋Ｍ８の下端、つまり脚部Ｍ４，Ｍ４のハムストリングスＭ６の半腱様筋Ｍ６１、半膜様筋Ｍ６２及び大腿二頭筋Ｍ６３の上端にそれぞれ対応する各脚筒部１２の後面上端対応位置Ｘを頂点にしてハムストリングスＭ６の半腱様筋Ｍ６１、半膜様筋Ｍ６２及び大腿二頭筋Ｍ６３の配筋方向に沿うように各脚筒部１２の膝裏Ｙの内外両側に向かって広がる逆Ｖ字形を呈している。このとき、ハムストリングスＭ６の半腱様筋Ｍ６１、半膜様筋Ｍ６２及び大腿二頭筋Ｍ６３は、逆Ｖ字形テーピングライン２によって、それぞれの配筋方向の下部から上部に引き上げられる上、運動時に適度に締め付けられてサポートされている。なお、図４中の符号Ｍ８１は中殿筋、符号Ｍ６４は大腿筋膜張筋である。
【００２９】
一方、Ｖ字形テーピングライン３は、着用者Ｍの左右の脚部Ｍ４，Ｍ４の下腿三頭筋Ｍ７の腓腹筋Ｍ７０（内側頭Ｍ７１及び外側頭Ｍ７２）及びヒラメ筋Ｍ７３の下端にそれぞれ対応する各脚筒部１２の裾口１３の後端対応位置Ｚを頂点にして下腿三頭筋Ｍ７の腓腹筋Ｍ７０の内側頭Ｍ７１及び外側頭Ｍ７２並びにヒラメ筋Ｍ７３の配筋方向に沿うように各脚筒部１２の膝裏Ｙの内外両側に向かって広がるＶ字形を呈している。このとき、下腿三頭筋Ｍ７の腓腹筋Ｍ７０の内側頭Ｍ７１及び外側頭Ｍ７２並びにヒラメ筋Ｍ７３は、Ｖ字形テーピングライン３によって、それぞれの配筋方向の下部から上部に引き上げられる上、運動時に適度に締め付けられてサポートされている。
【００３０】
更に、各脚筒部１２の逆Ｖ字形テーピングライン２の膝裏Ｙの外側に向かって広がる外側ライン部２１は、着用者の左右の脚部Ｍ４，Ｍ４における向こう臑部Ｍ９をその外側上部から内側下部に向かって斜め方向へ横切るように各脚筒部１２の裾口１３に向かって延びている。一方、逆Ｖ字形テーピングライン２の膝裏Ｙの内側に向かって広がる内側ライン部２２は、膝裏Ｙの内側寄りの上部位置まで延びて止められている。
【００３１】
また、各脚筒部１２のＶ字形テーピングライン３の膝裏Ｙの外側に向かって広がる外側ライン部３１は、着用者の左右の脚部Ｍ４，Ｍ４における大腿四頭筋Ｍ１０の大腿直筋Ｍ１０１、外側広筋Ｍ１０２、内側広筋Ｍ１０３及び中間広筋Ｍ１０４をその外側下部から内側上部に向かって斜め方向へ横切るように各脚筒部１２の内側上部へ向かって延びている。一方、Ｖ字形テーピングライン３の膝裏Ｙの内側に向かって広がる内側ライン部３２は、膝裏Ｙの内側寄りの下部位置まで延びて止められている。
【００３２】
更に、各脚筒部１２の逆Ｖ字形テーピングライン２の外側ライン部２１及びＶ字形テーピングライン３の外側ライン部３１は、膝裏Ｙの外側で互いに交差する交差部において逆Ｖ字形テーピングライン２の外側ライン部２１をＶ字形テーピングライン３の外側ライン部３１よりも優先して連続的に延びている。一方、Ｖ字形テーピングライン３の外側ライン部３１は、逆Ｖ字形テーピングライン２の外側ライン部２１に分断されて断続的に延びている。このとき、Ｖ字形テーピングライン３の外側ライン部３１は、膝裏Ｙの外側の交差部において逆Ｖ字形テーピングライン２の外側ライン部２１とは所定間隔（たとえば、１０〜２０ｍｍ程度）隔てて離間し、互いに非接触状態となっている。
【００３３】
また、本体筒部１１にも、テーピングライン４が設けられている。このテーピングライン４は、着用者Ｍのウェスト部Ｍ１の左右両位置に対応する本体筒部１１の左右両側の上端対応位置から斜め下方へ延びたのち、大殿筋Ｍ８の下縁に沿って各脚筒部１２の上端の内側位置まで延びて止められている。このとき、逆Ｖ字形テーピングライン２の上端は、テーピングライン４に対し所定間隔（たとえば、１０〜２０ｍｍ程度）隔てて離間し、互いに非接触状態となっている。なお、図５及び図６中の符号Ｍ９１は各脚部Ｍ４の向こう脛部の前脛骨筋である。
【００３４】
ここで、筋痙攣誘発モデル実験により、下半身用衣料を着用しないＡタイプと、下半身用衣料本体１０のみで構成した下半身用衣料を着用したＢタイプと、下半身用衣料本体１０に逆Ｖ字形テーピングライン２及びＶ字形テーピングライン３並びにテーピングライン４を貼着する本願の下半身用衣料を着用したＣタイプとで、筋痙攣抑制の有意性について検証する。検証の概要は以下のとおりである。なお、筋痙攣誘発モデルは、ハムストリングＭ６を対象とした方法で確立されているため、検証の対象筋はハムストリングＭ６の各筋（半腱様筋Ｍ６１、半膜様筋Ｍ６２、及び大腿二頭筋Ｍ６３）とする。
【００３５】
先ず、Ｂタイプとして、伸縮性があり、かつ着圧がかかる４０Ｄ（デニール）のナイロン８０％とポリウレタン２０％との混紡素材をベースにした下半身用衣料１（下半身用衣料本体１０）を使用する。一方、Ｃタイプとして、Ｂタイプの混紡素材（下半身用衣料本体１０）に、ＴＰＵ（熱可塑性ポリウレタン）１００％の逆Ｖ字形テーピングライン２及びＶ字形テーピングライン３並びにテーピングライン４を貼着した下半身用衣料１を使用する。
【００３６】
被験者は健常男性８名とし、左右のハムストリングスＭ６，Ｍ６でそれぞれデータを採っているため、サンプルデータ数は計１６とする。その内訳は、事前疲労運動を実施した２０名のうち、筋クランプが誘導され易い１０名で本実験を行い、そのうちの実際に筋クランプを生じた８名で左右のハムストリングスＭ６，Ｍ６のデータ採取を行った。
【００３７】
図７はＡ〜Ｃタイプ毎に筋クランプ誘発運動後の経過時間に対する最大筋力発揮時の筋放電量の相対値の特性を示す説明図、図８はＡ〜Ｃタイプ毎の筋クランプの主観評価を示す特性図をそれぞれ示している。
【００３８】
そして、図７及び図８において、ハムストリングスＭ６の筋痙攣抑制の有意性について、筋クランプ誘発運動を行った際のハムストリングスＭ６の各筋の筋放電量の計測と筋クランプ度合いの主観評価により検証する。
【００３９】
この検証に先立ち、２４時間前に事前疲労運動を行う。事前疲労運動としては、うつ伏せに寝て行う最も一般的なライイングレッグカールを１０ＲＭ、これを５セットする。このとき、１０ＲＭの負荷量は、被験者の最大筋力の測定値に基づいて決定され、１０回のライイングレッグカールで限界となる。
【００４０】
その後、ハムストリングスＭ６の筋クランプ誘発運動を行う。この筋クランプ誘発運動としては、うつ伏せ状態で膝関節深屈曲位（７０°）にて最大筋力を５秒間発揮する方法を用いる。
【００４１】
この筋クランプ誘発運動からの脱力後、ハムストリングスＭ６の各筋の筋放電量の計測と筋クランプ度合いの主観評価とを行う。
【００４２】
先ず、図７に示すハムストリングスＭ６の各筋の筋放電量の計測において、筋クランプ誘発運動後の経過時間０〜３秒時点では、Ａタイプ及びＢタイプ共にハムストリングスＭ６の各筋の筋放電量が高値を示しているが、ＣタイプのハムストリングスＭ６の各筋の筋放電量は、Ａタイプ及びＢタイプに比して低値傾向を示している。
【００４３】
また、筋クランプ誘発運動後の経過時間３〜６秒時点及び６〜９秒時点では、ＣタイプのハムストリングスＭ６の各筋の筋放電量は、Ａタイプ及びＢタイプに比して有意に低値を示していることが判る。なお、ハムストリングスＭ６の各筋の筋放電量は、最大筋力発揮時（ＭＶＣ：Ｍａｘｉｍｕｍ Ｖｏｌｕｎｔａｒｙ Ｃｏｎｔｒａｃｔｉｏｎ）に対する相対値であり、その大小は筋痙攣の程度を反映する一指標である。
【００４４】
一方、図８に示す筋クランプ度合いの主観評価においても、ＢタイプがＡタイプとほとんど差が無く、ＣタイプはＡタイプ及びＢタイプに比して有意に低値を示していることが判る。この主観評価では、激しく攣った段階５と、攣った段階４と、やや攣った段階３と、攣りそうな段階２と、全く攣らない段階１とに分け、互いに相隣なる段階間においてどちらの段階にどの程度近いかを主観的に評価している。なお、Ａ〜Ｃタイプでの有意差検定は、一元配置分散分析の多重比較により行っている。
【００４５】
このように、下半身用衣料本体１０にこれよりも伸び難く縮み易い材料によって構成された逆Ｖ字形テーピングライン２及びＶ字形テーピングライン３を設け、逆Ｖ字形テーピングライン２が、着用者Ｍの左右の脚部Ｍ４，Ｍ４のハムストリングスＭ６の半腱様筋Ｍ６１、半膜様筋Ｍ６２及び大腿二頭筋Ｍ６３の上端にそれぞれ対応する各脚筒部１２の後面上端対応位置Ｘを頂点にしてハムストリングスＭ６の半腱様筋Ｍ６１、半膜様筋Ｍ６２及び大腿二頭筋Ｍ６３の配筋方向に沿うように各脚筒部１２の膝裏Ｙの内外両側に向かって広がっている。一方、Ｖ字形テーピングライン３が、着用者Ｍの左右の脚部Ｍ４，Ｍ４の下腿三頭筋Ｍ７の腓腹筋Ｍ７０（内側頭Ｍ７１及び外側頭Ｍ７２）及びヒラメ筋Ｍ７３の下端にそれぞれ対応する各脚筒部１２の裾口１３の後端対応位置Ｚを頂点にして下腿三頭筋Ｍ７の腓腹筋Ｍ７０の内側頭Ｍ７１及び外側頭Ｍ７２並びにヒラメ筋Ｍ７３の配筋方向に沿うように各脚筒部１２の膝裏Ｙの内外両側に向かって広がっている。このとき、逆Ｖ字形テーピングライン２及びＶ字形テーピングライン３によって、ハムストリングスＭ６の半腱様筋Ｍ６１、半膜様筋Ｍ６２及び大腿二頭筋Ｍ６３、並びに下腿三頭筋Ｍ７の腓腹筋Ｍ７０の内側頭Ｍ７１、外側頭Ｍ７２及びヒラメ筋Ｍ７３が、それぞれの配筋方向の下部から上部に引き上げられる上、運動時に適度に締め付けられてサポートされている。
【００４６】
これにより、マラソンなどの長距離走において負担が大きいために筋痙攣を生じ易い大腿後面のハムストリングスＭ６（半腱様筋Ｍ６１、半膜様筋Ｍ６２及び大腿二頭筋Ｍ６３）や、下腿三頭筋Ｍ７の腓腹筋Ｍ７０（内側頭Ｍ７１、外側頭Ｍ７２及びヒラメ筋Ｍ７３）などに標的を当てて当該ハムストリングスＭ６や腓腹筋Ｍ７０などをその配筋方向に合わせて着圧している。その結果、スポーツパフォーマンスや筋コンディショニングの低下を抑えて、標的となるハムストリングスＭ６や腓腹筋Ｍ７０などの筋痙攣抑制効果をバランスよく確実に発揮することができる。
【００４７】
また、各脚筒部１２の逆Ｖ字形テーピングライン２の膝裏Ｙの外側に向かって広がる外側ライン部２１が、着用者Ｍの各脚部Ｍ４における向こう臑部Ｍ９の外側から内側に回り込むように各脚筒部１２の裾口１３に向かって延びているので、逆Ｖ字形テーピングライン２の外側ライン部２１の伸張性能が十分に発揮され、各脚部Ｍ４の向こう脛部Ｍ９の前脛骨筋Ｍ９１はもちろんのこと、ハムストリングスＭ６の大腿二頭筋Ｍ６３も効果的に着圧され、ハムストリングスＭ６の大腿二頭筋Ｍ６３の筋痙攣抑制効果をより確実に発揮することができる。
【００４８】
また、各脚筒部１２のＶ字形テーピングライン３の膝裏Ｙの外側に向かって広がる外側ライン部３１が、着用者Ｍの左右の脚部Ｍ４における大腿四頭筋Ｍ１０の大腿直筋Ｍ１０１、外側広筋Ｍ１０２、内側広筋Ｍ１０３及び中間広筋Ｍ１０４をその外側下部から内側上部に向かって斜め方向へ横切るように各脚筒部１２の内側上部へ向かって延びているので、Ｖ字形テーピングライン３の外側ライン部３１の伸張性能が十分に発揮され、大腿四頭筋Ｍ１０はもちろんのこと、下腿三頭筋Ｍ７の外側の腓腹筋Ｍ７０も効果的に着圧され、外側の腓腹筋Ｍ７０の筋痙攣抑制効果をより確実に発揮することができる。
【００４９】
また、本体筒部１１のテーピングライン４、並びに各脚筒部１２の逆Ｖ字形テーピングライン２及びＶ字形テーピングライン３が、下半身用衣料本体１０に対し互いに重ね合わせた重合状態で設けられているので、既存の下半身用衣料本体１０の本体筒部１１に対しテーピングライン４を、各脚筒部１２に対し逆Ｖ字形テーピングライン２及びＶ字形テーピングライン３をそれぞれ貼着によって簡単に取り付けることができる。
【００５０】
更に、各脚筒部１２の逆Ｖ字形テーピングライン２の外側ライン部２１及びＶ字形テーピングライン３の外側ライン部３１うちの逆Ｖ字形テーピングライン２の外側ライン部２１が互いの交差部においてＶ字形テーピングライン３の外側ライン部３１よりも優先して連続的に延びる一方、Ｖ字形テーピングライン３の外側ライン部３１が逆Ｖ字形テーピングライン２の外側ライン部２１に分断されて断続的に延びているので、各脚筒部１２の逆Ｖ字形テーピングライン２の外側ライン部２１による伸長性能が優先されるものの、Ｖ字形テーピングライン３の外側ライン部３１の外側ライン部３１による伸長性能は分断により軽減されて、下半身用衣料１を使用者Ｍが着用する際の着用難易性が軽減され、各脚筒部１２の逆Ｖ字形テーピングライン２の外側ライン部２１とＶ字形テーピングライン３の外側ライン部３１とを共に連続的に延ばした場合に比して、比較的スムーズに着用することができる。
【００５１】
なお、本発明は、前記実施の形態に限定されるものではなく、その他種々の変形例を包含している。例えば、本実施の形態では、本体筒部１１のテーピングライン４、並びに各脚筒部１２の逆Ｖ字形テーピングライン２及びＶ字形テーピングライン３を、下半身用衣料本体１０に対し互いに重ね合わせた重合状態で設けたが、本体筒部のテーピングライン、並びに各脚筒部の逆Ｖ字形テーピングライン及びＶ字形テーピングラインが、下半身用衣料本体に対し互いに重ね合わせない非重合状態で設けられていてもよい。また、本体筒部のテーピングライン、並びに各脚筒部の逆Ｖ字形テーピングライン及びＶ字形テーピングラインが、下半身用衣料本体に対し周縁のみを互いに重ね合わせた一部重合状態で設けられていてもよい。この場合、テーピングライン並びに逆Ｖ字形テーピングライン及びＶ字形テーピングラインと下半身用衣料本体との互いに異なる伸縮性能を単独で発揮することが可能となる。
【００５２】
また、本実施の形態では、各脚筒部１２の逆Ｖ字形テーピングライン２の外側ライン部２１をＶ字形テーピングライン３の外側ライン部３１との交差部においてＶ字形テーピングライン３の外側ライン部３１よりも優先して連続的に延ばし、Ｖ字形テーピングライン３の外側ライン部３１を逆Ｖ字形テーピングライン２の外側ライン部２１に分断させて断続的に延ばしたが、各脚筒部のＶ字形テーピングラインの外側ライン部が逆Ｖ字形テーピングラインの外側ライン部との交差部において逆Ｖ字形テーピングラインの外側ライン部よりも優先して連続的に延ばされ、逆Ｖ字形テーピングラインの外側ライン部がＶ字形テーピングラインの外側ライン部に分断されて断続的に延ばされていてもよい。
【符号の説明】
【００５３】
１        下半身用衣料
１０      下半身用衣料本体
１１      本体筒部
１２      脚筒部
１３      裾口
２        逆Ｖ字形テーピングライン
２１      逆Ｖ字形テーピングラインの外側ライン部
３        Ｖ字形テーピングライン
３１      Ｖ字形テーピングラインの外側ライン部
Ｍ        着用者
Ｍ１      ウェスト部
Ｍ２      下腹部
Ｍ３      臀部
Ｍ４      脚部
Ｍ５      足首部
Ｍ６      ハムストリングス
Ｍ７      下腿三頭筋
Ｍ９      向こう臑部
Ｍ１０    大腿四頭筋
Ｙ        膝裏
【図１】
2018035453.tif 000003
【図２】
2018035453.tif 000004
【図３】
2018035453.tif 000005
【図４】
2018035453.tif 000006
【図５】
2018035453.tif 000007
【図６】
2018035453.tif 000008
【図７】
2018035453.tif 000009
【図８】
2018035453.tif 000010